(57)【特許請求の範囲】
【請求項１】
通信回線から受信した受信信号を増幅するための多段増幅手段をモデム内に備え、前記受信信号のレベルに応じて前記多段増幅手段内において使用する個別増幅手段の組み合わせを変更することにより、前記受信信号をモデム以後の信号処理系統に適したレベル以上に増幅するファクシミリ装置であって、
前記受信信号のレベルを計測する受信レベル計測部と、前記モデムに入力する前の前記受信信号を増幅する受信アンプと、前記受信信号を前記受信アンプと前記モデムの何れかに選択的に切り替える切替スイッチと、該切替スイッチを制御する受信レベル切替制御部と、を備え、
前記受信レベル計測部により計測した前記受信信号の受信レベルが前記個別増幅手段の組み合わせを変更する際の変更受信レベルである場合に、前記受信レベル切替制御部は、前記切替スイッチを制御することにより前記受信信号を前記受信アンプに入力させることを特徴とするファクシミリ装置。
【請求項２】
前記個別増幅手段は３段以上であり、段数の増加に応じて使用する変更受信レベルの数が増加し、
前記受信レベル切替制御部は、複数の前記変更受信レベルを用いて前記切替スイッチの制御を実施することを特徴とする請求項１に記載のファクシミリ装置。
【請求項３】
前記個別増幅手段の組み合わせを変更する変更受信レベルは、受信信号のレベル変動に対応したレベル幅を有することを特徴とする請求項１または２に記載のファクシミリ装置。
【発明の詳細な説明】
【０００１】
【発明の属する技術分野】
本発明は、受信信号のレベルを信号処理に適したレベルに増幅する増幅手段を網制御装置内に備えたファクシミリ装置に関する。
【０００２】
【従来の技術】
ファクシミリ装置は、相手のファクシミリ装置との間で、通信回線を介してファクシミリ制御手順に従ってファクシミリ制御信号を送受信することにより通信接続を確立し、画情報を送受信している。
このようなファクシミリ通信における受信信号レベルの範囲（ダイナミックレンジ）としては、ＩＴＵ−Ｔ勧告には０ｄＢｍ〜−４３ｄＢｍの範囲において受信できるように規定されている。
一般的に、ファクシミリ装置においては、−４３ｄＢｍの受信信号レベルを信号処理に適したレベル（例えば、０ｄＢｍ等）に増幅するために、網制御装置内のモデム中に、増幅装置から構成されるハードウエアアンプ部と、デジタル信号に変換されてからの信号を信号処理により増幅するソフトウエアアンプ部との２種類の個別増幅手段からなる多段増幅手段を有している。このモデムにより増幅を行う際に、受信信号レベルが−４３ｄＢｍ等の極めて低いレベルである場合には、ハードウエアアンプ部とソフトウエアアンプ部の双方を組み合わせて使用することにより増幅を行っているが、例えば、受信信号レベルが−５ｄＢｍ等の比較的増幅度が低いレベルである場合には、ソフトウエアアンプ部のみを用いて、ハードウエアアンプ部は組み合わせずに受信信号の増幅を行っている。即ち、モデム中のハードウエアアンプ部は、受信信号レベルによりオン／オフ制御されている。
例えば、ハードウエアアンプ部のオン／オフ切替を受信信号レベルが−２２ｄＢｍになった際に行うモデムを用いた場合、ファクシミリ装置で受信した受信信号レベルが−４３ｄＢｍから−２２ｄＢｍまでの間のレベルである場合には、ハードウエアアンプ部がオン状態となって、ソフトウエアアンプ部とハードウエアアンプ部との双方の組み合わせた多段増幅手段にて増幅を行い、受信信号レベルが−２２ｄＢｍから−０ｄＢｍまでの間のレベルである場合にはハードウエアアンプ部がオフ状態となってソフトウエアアンプ部のみを用い、すなわち、２種類の個別増幅手段の組み合わせを行わない多段増幅手段により増幅が行われる。
上記モデムを用いた場合には、例えば、受信信号レベルが−４０ｄＢｍの受信信号はハードウエアアンプ部により−１９ｄＢｍに増幅されるので、−１９ｄＢｍの受信信号と同様にソフトウエアアンプ部により信号処理に適した０ｄＢｍ等のレベルに増幅されて、モデムから出力される。
【０００３】
【発明が解決しようとする課題】
しかしながら、受信信号レベルがハードウエアアンプ部のオン／オフ切替を行う受信信号レベル（上記例では−２２ｄＢｍ）近辺である場合には、受信信号レベルの変動等によりハードウエアアンプ部のオン／オフが実行されるため、ソフトウエアアンプ部に入力する受信信号が連続しなくなり、ハードウエアアンプ部に入力する受信信号とソフトウエアアンプ部に入力する受信信号とで信号レベルの大小関係が逆転する場合があった。その場合のソフトウエアアンプ部の出力は、ソフトウエアアンプ部の増幅度をハードウエアアンプ部のオン／オフに対応させて変更して、受信信号レベルを信号処理に適した０ｄＢｍ等のレベルに増幅しているものの、受信信号の信号品質は悪化していた。
本発明は、上述した如き従来の問題を解決するためになされたものであって、受信信号レベルがハードウエアアンプ部のオン／オフ切替を行う受信信号レベル近辺である場合であっても、受信信号の信号品質が悪化しないファクシミリ装置を提供することを目的とする。
【０００４】
【課題を解決するための手段】
上述の目的を達成するため、請求項１の本発明のファクシミリ装置は、通信回線から受信した受信信号を増幅するための多段増幅手段をモデム内に備え、前記受信信号のレベルに応じて前記多段増幅手段内において使用する個別増幅手段の組み合わせを変更することにより、前記受信信号をモデム以後の信号処理系統に適したレベル以上に増幅するファクシミリ装置であって、前記受信信号のレベルを計測する受信レベル計測部と、前記モデムに入力する前の前記受信信号を増幅する受信アンプと、前記受信信号を前記受信アンプと前記モデムの何れかに選択的に切り替える切替スイッチと、該切替スイッチを制御する受信レベル切替制御部と、を備え、前記受信レベル計測部により計測した前記受信信号の受信レベルが前記個別増幅手段の組み合わせを変更する際の変更受信レベルである場合に、前記受信レベル切替制御部は、前記切替スイッチを制御することにより前記受信信号を前記受信アンプに入力させることを特徴とする。
請求項２の本発明は、請求項１のファクシミリ装置において、前記個別増幅手段が３段以上である場合に、前記受信レベル切替制御部は、複数の前記変更受信レベルを用いて前記切替スイッチの制御を実施できることを特徴とする。
請求項３の本発明は、請求項１または２のファクシミリ装置において、前記個別増幅手段の組み合わせを変更する変更受信レベルは、受信信号のレベル変動に対応したレベル幅を有することを特徴とする。
【０００５】
【発明の実施の形態】
以下、本発明を図示した実施形態に基づいて説明する。
図１は、本発明の一実施形態のファクシミリ装置の概略構成を示すブロック図である。
図１に示す様に、本実施形態のファクシミリ装置１は、ファクシミリ装置１内の各部を制御するシステム制御部２と、送信信号の符号化及び受信信号の復号を行う符号化復号部３と、印刷出力するためのプロッタ４と、原稿画像を読み取るスキャナ５と、操作者の指示内容を入力すると共にファクシミリ装置の動作状態等を表示する操作表示部６と、受信信号の信号レベルを計測する受信レベル計測部７と、通信回線網等との接続を制御する網制御装置８と、受信信号の増幅レベルを切り替える制御を行う受信レベル切替制御部９と、上記各部及び各装置間を接続するシステムバス１０と、により構成される。また、網制御装置８内には、送信信号の変調と受信信号の復調を行うモデム１１と、受信信号の増幅レベルを切り替えるための切替スイッチ１２と、受信信号を数ｄＢ（例えば、２ｄＢ程度）増幅する受信アンプ１３とが設けられている。網制御装置８は、電話回線等の公衆通信回線または専用通信回線からなる通信回線１４と接続される。また、網制御装置８には、音声通話用の電話機１５が接続される。
本実施形態のファクシミリ装置１の構成上の特徴は、モデム１１中のハードウエアアンプ部とは別に受信アンプ１３と、受信信号の入力先を受信アンプ１３とモデム１１の何れか一方に選択的に切り替える切替スイッチ１２と、を網制御装置８内に設けると共に、切替スイッチ１２を制御する受信レベル切替制御部９をファクシミリ装置１内に設けたことにある。
【０００６】
図１のファクシミリ装置にて通信を行う際の動作を以下に説明する。
まず、図１のファクシミリ装置の受信動作について説明する。通信回線１４から受信した受信信号は、網制御装置８内のモデム１１により復調されてシステムバス１０に出力される。復調された受信信号は、符号化復号部３に入力されて復号された画像データとなってシステムバス１０に出力される。復号された画像データは、プロッタ４に入力して印刷出力される。モデム１１では、常時、受信信号の受信レベルを受信レベル計測部７に出力しており、受信レベル計測部７の計測結果を受けて、モデム内に設置されているハードウエアアンプ部及びソフトウエアアンプ部の切替制御及び増幅度制御が行われる。尚、本実施形態に特有な受信動作については、図３のフローチャートを用いて詳細に後述する。
一方、図１のファクシミリ装置の送信動作は以下のようになる。即ち、スキャナ５にて原稿から読み込まれた画像データは、システムバス１０を介して符号化復号部３にて符号化されて出力される。符号化された画像データは、網制御装置８内のモデム１１により変調されて通信回線１４に出力される。
ここで、一般的なファクシミリ装置間の通信制御について説明する。
【０００７】
図２は、送信側ファクシミリ装置と受信側ファクシミリ装置間の制御信号を示すシーケンス図である。
まず、送信側ファクシミリ装置（以下、送信機と記す）からコールトーン（リンギング信号）：ＣＮＧを出力する。ＣＮＧを受信した受信側ファクシミリ装置（以下、受信機と記す）からアンサートーン：ＣＥＤを出力する。次いで、受信機からデジタルＩＤ信号：ＤＩＳ等（オプショナルとしてＮＳＦ、ＣＳＩ等）を出力する。ＣＥＤ及びＤＩＳを受信した送信機では、デジタルコマンド信号：ＤＣＳ等（オプショナルとしてＮＳＳ、ＴＳＩ等）を出力する。この後、送信機から受信機へトレーニング信号及びファクシミリメッセージ等が送信される。ファクシミリメッセージの送信が終了すると、送信機から終了信号：ＰＰＳ−ＥＯＰが出力される。ＰＰＳ−ＥＯＰを受信した受信機では、応答信号：ＭＣＦを出力する。ＭＣＦを受信した送信機は、接続していた回線を切断する（ＤＣＮ）。
上記の制御信号は、ＩＴＵ−Ｔ勧告のＶ．１７以下（Ｖ．２９、Ｖ．２７ｔｅｒ）に基づいて交信する場合であり、例えば、ＩＴＵ−Ｔ勧告のＶ．８及びＶ．３４に基づく場合には、上記のアンサートーン：ＣＥＤはアンサートーン：ＡＮＳａｍとなり、デジタルＩＤ信号：ＤＩＳ等はジョイントメニュー信号：ＪＭとなり、デジタルコマンド信号：ＤＣＳ等はコールメニュー信号：ＣＭ及びＣＭターミネータ：ＣＪとなる。
図２のように制御信号が送受信される本実施形態の受信機における、特徴的な受信動作について説明する。
【０００８】
図３は、本実施形態の受信機における受信動作を示すフローチャートである。ステップＳ１では、コールトーン（リンギング信号）：ＣＮＧを受信したか否かを判断し、ＣＮＧを受信した場合（ステップＳ１：Ｙｅｓ）にはステップＳ２に進み、ＣＮＧを受信していない場合（ステップＳ１：Ｎｏ）にはステップＳ１を繰り返す。ステップＳ２では、アンサートーン：ＣＥＤ（または、ＡＮＳａｍ）を送信する。ステップＳ３では、デジタルＩＤ信号：ＤＩＳ等（または、ジョイントメニュー信号：ＪＭ）を送信する。ステップ４では、デジタルコマンド信号：ＤＣＳ等（または、コールメニュー信号：ＣＭ及びＣＭターミネータ：ＣＪ）を受信する。ステップＳ５では、受信レベル計測部７にて受信レベルを計測する。ステップＳ６では、受信レベルが所定範囲内であるか否かを判断し、所定範囲内である場合（ステップＳ６：Ｙｅｓ）にはステップＳ７に進み、所定範囲内でない場合（ステップＳ６：Ｎｏ）にはステップＳ９に進む。
このステップＳ６における所定範囲とは、受信信号のレベル変動に対応したレベル幅であり、例えば、ハードウエアアンプ部のオン／オフ切替を行う受信信号レベルが−２２ｄＢｍであるモデムを用いた場合、−２２ｄＢｍ±１ｄＢｍ等の受信信号レベル近辺の範囲である。
ステップＳ７では、デジタルコマンド信号：ＤＣＳ等（または、コールメニュー信号：ＣＭ及びＣＭターミネータ：ＣＪ）の受信が終了したか否かを判断し、受信が終了した場合（ステップＳ７：Ｙｅｓ）にはステップＳ８に進み、受信が終了していない場合（ステップＳ７：Ｎｏ）にはステップＳ７を繰り返す。ステップＳ８では、受信レベル切替制御部９により切替スイッチ１２を受信アンプ１３側に切り換えて受信信号が受信アンプ１２に入力されるようにする。その結果、受信信号は受信アンプ１２にて２ｄＢ程度増幅されてからモデム１１に入力される。ステップＳ９では、トレーニング信号及び画像データ信号等を受信する。ステップＳ１０では、受信の終了信号：ＰＰＳ−ＥＯＰ等を受信したか否かを判断し、終了信号を受信した場合（ステップＳ１０：Ｙｅｓ）にはステップＳ１１に進み、終了信号を受信しない場合（ステップＳ１０：Ｎｏ）にはステップＳ１０を繰り返す。ステップＳ１１では、受信レベル切替制御部９により切替スイッチ１２をモデム１１側に切り換えて受信信号がモデム１１に直接入力されるようにする。
【０００９】
このようにして、受信機において、受信信号レベルがハードウエアアンプ部のオン／オフ切替を行う受信信号レベル近辺である場合には、受信アンプ１３により受信信号が２ｄＢ程度増幅される。すると、受信信号レベルがハードウエアアンプ部のオン／オフ切替を行う受信信号レベル近辺である場合であっても受信信号の微妙なレベル差によりハードウエアアンプ部のオン／オフ切替が行われることがなくなる。従って、受信信号レベルが上記の微妙なレベルであってもモデムから出力される受信信号が連続し、受信信号レベルの大小関係も正常になり、受信信号の信号品質が悪化しない。
尚、本実施形態では、モデム内の増幅手段を１段のハードウエアアンプ部と１段のソフトウエアアンプ部とからなる２段構成として説明したが、モデム内の増幅手段はこれに限らず、３段以上としてもよく、その場合には、各アンプ部のオン／オフ切替を行って増幅手段各段の組み合わせを変更する変更受信レベルの数も２つ以上に増加する。この数が増加した変更受信レベルに上記実施形態を対応させるには、例えば、受信アンプ１３の動作範囲を数が増加した変更受信レベルに基づいて動作するように受信レベル切換制御部９のプログラム等を設定することが好ましい。すなわち、複数の変更受信レベルに基づいて受信アンプ１３が動作するように受信レベル切換制御部９を設定して切替スイッチ１２を制御することにより、モデム内の増幅手段が３段以上である場合でも本発明を実施することができる。
また、本実施形態では、ハードウエアアンプ部のオン／オフ切替を行う受信信号レベルの例を−２２ｄＢｍとし、受信アンプ１３を動作させる範囲の例を−２２ｄＢｍ±１ｄＢｍとし、受信アンプ１３による受信信号の増幅度の例を２ｄＢ程度として説明したが、本発明はこれに限らず、例えば、ハードウエアアンプ部のオン／オフ切替を行う受信信号レベルは、−２０ｄＢｍ等としてもよく、受信アンプ１３を動作させる範囲は、受信信号のレベル変動に対応したレベル幅に対応させて−２０ｄＢｍ±３ｄＢｍ等としてもよく、受信アンプ１３による受信信号の増幅度は、４ｄＢ程度等としてもよい。
【００１０】
【発明の効果】
上記のように請求項１及び３の本発明では、受信側ファクシミリ装置において、受信信号レベルがハードウエアアンプ部のオン／オフ切替を行う受信信号レベル近辺である場合には、受信アンプにより受信信号が増幅され、受信信号レベルがハードウエアアンプ部のオン／オフ切替を行う受信信号レベル近辺である場合であっても受信信号の微妙なレベル差によりハードウエアアンプ部のオン／オフ切替が行われることがなくなる。従って、受信信号レベルが上記のような微妙なレベルであってもモデムから出力される受信信号が連続し、受信信号レベルの大小関係も正常になることから、受信信号の信号品質が悪化しない。
請求項２の本発明では、受信レベル切替制御部は、受信アンプの動作範囲を複数の受信信号レベルにおいて設定できるので、モデム内の個別の増幅手段が３段以上である場合でも受信信号の信号品質を悪化させない。
【図面の簡単な説明】
【図１】本発明の一実施形態のファクシミリ装置の概略構成を示すブロック図である。
【図２】送信側ファクシミリ装置と受信側ファクシミリ装置間の制御信号を示すシーケンス図である。
【図３】本実施形態の受信機における受信動作を示すフローチャートである。
【符号の説明】
１・・・ファクシミリ装置、２・・・システム制御部、３・・・符号化復号部、４・・・プロッタ、５・・・スキャナ、６・・・操作表示部、７・・・受信レベル計測部、８・・・網制御装置、９・・・受信レベル切替制御部、１０・・・システムバス、１１・・・モデム、１２・・・切替スイッチ、１３・・・受信アンプ、１４・・・通信回線、１５・・・電話機
【図１】
0003854003.tif 000002
【図２】
0003854003.tif 000003
【図３】
0003854003.tif 000004